(57)【要約】      （修正有）【課題】プローブにおいて水が積もっても溜水で各端子が短絡する問題点が存在しないプローブを提供する。【解決手段】プローブはバックルにより取付板の所定の位置に接続し、バックルが該取付板に向う表面は第一表面であり、該第一表面に少なくとも二つの端子２が設けられ、該第一表面に該第一表面における溜水領域の溜水を排出するための排水構造が更に設けられるプローブであって、第一表面に該第一表面における溜水領域の溜水が任意の二つの端子２を電気的に導通しないように第一表面における溜水領域を分割する止水構造が更に設けられる。【選択図】図１
0003220430.tif 000002
【実用新案登録請求の範囲】
【請求項１】
止水機能を有するプローブであって、前記プローブはバックルにより取付板の所定の位置に接続し、前記バックルが該取付板に向う表面は第一表面であり、該第一表面に少なくとも二つの端子が設けられ、該第一表面に該第一表面における溜水領域の溜水を排出するための排水構造が更に設けられる止水機能を有するプローブであって、前記第一表面に該第一表面における溜水領域の溜水が任意の二つの前記端子を電気的に導通しないように前記第一表面における溜水領域を分割する止水構造が更に設けられることを特徴とする止水機能を有するプローブ。
【請求項２】
前記端子の数はｎ（ｎ≧２）であり、
前記止水構造は前記第一表面における溜水領域をｎ個のサブ領域に分割する壁体をｎ段含み、
前記排水構造はそれぞれ前記ｎ個のサブ領域に対応する排水口をｎ個含み、
前記ｎ個の端子の前記第一表面における投射はそれぞれ前記ｎ個のサブ領域に入ることを特徴とする請求項１に記載の止水機能を有するプローブ。
【請求項３】
前記各壁体の前記第一表面における最低点に対する垂直な高度は、任意の一つの端子の前記最低点に対する垂直な高度よりも低いことを特徴とする請求項２に記載の止水機能を有するプローブ。
【請求項４】
前記ｎ段の壁体は互いに離脱するように設けられることを特徴とする請求項２に記載の止水機能を有するプローブ。
【請求項５】
前記各壁体は前記第一表面の中心部において互いに接続し、且つそれぞれ異なる方向に沿って前記第一表面の中心部から該第一表面の周辺へ延伸することを特徴とする請求項２に記載の止水機能を有するプローブ。
【請求項６】
前記第一表面の中央領域においてボスを形成し、前記各端子はこのボスの側面から突き出て延伸し、
前記第一表面の周辺に外壁が設けられ、前記ｎ個の排水口はいずれも該外壁に形成され、
前記壁体当たりはいずれも前記ボスの側面と前記外壁との間まで延伸し、該ボスと該外壁との間の領域を前記ｎ個のサブ領域に分割し且つ各排水口はそれぞれ相応して各サブ領域の外壁の部分に設けられることを特徴とする請求項２に記載の止水機能を有するプローブ。
【請求項７】
前記壁体当たりは前記取付板に合わせるように前記第一表面に対して斜めに設けられることを特徴とする請求項２に記載の止水機能を有するプローブ。
【請求項８】
前記壁体当たりの最高点と端子の間の垂直な距離はいずれも該壁体の最高点と前記第一表面における溜水領域の最低点の間の垂直な距離よりも小さいことを特徴とする請求項２に記載の止水機能を有するプローブ。
【請求項９】
前記プローブは煙感知プローブ、感温プローブ、ガスプローブ及び火災プローブからなる群より選ばれる１種であることを特徴とする請求項１に記載の止水機能を有するプローブ。
【考案の詳細な説明】
【技術分野】
【０００１】
本考案は点式煙感知／感温／ガス／火災のプローブの技術分野に属し、具体的に、止水機能を有するプローブに関する。
【背景技術】
【０００２】
点式煙感知／感温／ガス／火災のプローブは安全リスクが存在しうる公的場所又は私的場所に用いられるものである。このようなプローブは通常天井板又は吊天井に取り付けれるため、天井板又は吊天井の上方に位置するライン又は壁に水凝結又はライン漏れまでが発生すると、水がプローブ内部に滴下し且つプローブに沿って継続して滴下することがある。テストの結果から分かるように、水がプローブの天井板に向う片面で積もるのはドロップ現象が発生する主な原因であり、水がある程度まで積もると、プローブに沿って滴下するが、この片面には取付板（プローブと天井板とを接続するに用いられる構造）での対応する端子に電気的に接続するに用いられる複数の端子が設けられたため、溜水が端子の高さに達すると、接続した各端子が短絡することを招く恐れがある。いくつかのメーカーの設計において、端子がプローブの天井面の中央円錐台の側面に接続するように設けられたため、プローブの天井面の底から一定の距離があって、溜水が発生するとは限りないが、依然として安全リスクも存在している。
【考案の概要】
【０００３】
本考案は止水機能を有するプローブを提供することを目的とするものであり、プローブにおいて水が積もっても溜水で各端子が短絡するという問題点が存在しない。
【０００４】
上記目的に達するために、本考案は以下のとおりである。
【０００５】
止水機能を有するプローブであって、前記プローブはバックルにより取付板の所定の位置に接続し、前記バックルが該取付板に向う表面は第一表面であり、該第一表面に少なくとも二つの端子が設けられ、該第一表面に該第一表面における溜水領域の溜水を排出するための排水構造が更に設けられる止水機能を有するプローブであって、前記第一表面に該第一表面における溜水領域の溜水が任意の二つの前記端子を電気的に導通しないように前記第一表面における溜水領域を分割する止水構造が更に設けられることを特徴とする止水機能を有するプローブ。
【０００６】
前記端子の数はｎ（ｎ≧２）であり、
前記止水構造は前記第一表面における溜水領域をｎ個のサブ領域に分割する壁体をｎ段含み、
前記排水構造はそれぞれ前記ｎ個のサブ領域に対応する排水口をｎ個含み、
前記ｎ個の端子の前記第一表面における投射はそれぞれ前記ｎ個のサブ領域に入ることを特徴とする前記止水機能を有するプローブ。
【０００７】
前記各壁体の前記第一表面における最低点に対する垂直な高度は、任意の一つの端子の前記最低点に対する垂直な高度よりも低いことを特徴とする前記止水機能を有するプローブ。
【０００８】
前記ｎ段の壁体は互いに離脱するように設けられることを特徴とする前記止水機能を有するプローブ。
【０００９】
前記各壁体は前記第一表面の中心部において互いに接続し、且つそれぞれ異なる方向に
沿って前記第一表面の中心部から該第一表面の周辺へ延伸することを特徴とする前記止水機能を有するプローブ。
【００１０】
前記第一表面の中央領域においてボスを形成し、前記各端子はこのボスの側面から突き出て延伸し、
前記第一表面の周辺に外壁が設けられ、前記ｎ個の排水口はいずれも該外壁に形成され、
前記壁体当たりはいずれも前記ボスの側面と前記外壁との間まで延伸し、該ボスと該外壁との間の領域を前記ｎ個のサブ領域に分割し且つ各排水口はそれぞれ相応して各サブ領域の外壁の部分に設けられるを特徴とする前記止水機能を有するプローブ。
【００１１】
前記壁体当たりは前記取付板に合わせるように前記第一表面に対して斜めに設けられることを特徴とする前記止水機能を有するプローブ。
【００１２】
前記壁体当たりの最高点と端子の間の垂直な距離はいずれも該壁体の最高点と前記第一表面における溜水領域の最低点の間の垂直な距離よりも小さいことを特徴とする前記止水機能を有するプローブ。
【００１３】
前記プローブは煙感知プローブ、感温プローブ、ガスプローブ及び火災プローブからなる群より選ばれる１種であることを特徴とする前記止水機能を有するプローブ。
【００１４】
先行技術に比べて、本考案は、プローブにおいて水が積もっても溜水で各端子が短絡する問題点が存在しないという利点を有する。
【図面の簡単な説明】
【００１５】
【図１】図１は本考案の構造の模式図である。
【実施例】
【００１６】
以下、図面を参照しながら一つの好ましい実施例を説明することにより、本考案を更に説明する。
【００１７】
図１のように、本考案は止水機能を有するプローブを提供し、前記プローブはバックルにより取付板の所定の位置に接続し、前記バックルが該取付板に向う表面は第一表面であり、該第一表面に少なくとも二つの端子２が設けられ、該第一表面に該第一表面における溜水領域の溜水を排出するための排水構造が更に設けられる止水機能を有するプローブであって、前記第一表面に該第一表面における溜水領域の溜水が任意の二つの前記端子２を電気的に導通しないように前記第一表面における溜水領域を分割する止水構造が更に設けられる。本考案は煙感知プローブ、感温プローブ、ガスプローブ及び火災プローブからなる群より選ばれる１種に適する。
【００１８】
前記端子の数はｎ（ｎ≧２）であり、
前記止水構造は前記第一表面における溜水領域をｎ個のサブ領域に分割する壁体１をｎ段含み、
前記排水構造はそれぞれ前記ｎ個のサブ領域に対応する排水口４をｎ個含み、
前記ｎ個の端子２の前記第一表面における投射はそれぞれ前記ｎ個のサブ領域に入り、本実施例においてｎは４である。なお、壁体１、排水口４及びサブ領域の数はｎに限定されておらず（ｎより大きくてもよい）、設計思想に応じて選択できるものである。
【００１９】
好ましくは、前記各壁体１の前記第一表面における最低点に対する垂直な高度は、任意の一つの端子の前記最低点に対する垂直な高度よりも低い。
【００２０】
好ましくは、前記ｎ段の壁体１は互いに離脱するように設けられ、具体的に、いくつかの実施例において、前記各壁体は前記第一表面の中心部において互いに接続し且つそれぞれ異なる方向に沿って前記第一表面の中心部から該第一表面の周辺へ延伸する；別のいくつかの実施例において、前記第一表面の中央領域においてボス３を形成し、前記各端子２はこのボス３の側面から突き出て延伸する；前記第一表面の周辺に外壁が設けられ、前記ｎ個の排水口４はいずれも該外壁に形成される；前記壁体１当たりはいずれも前記ボス３の側面と前記外壁との間まで延伸し、該ボス３と該外壁との間の領域を前記ｎ個のサブ領域に分割し且つ各排水口４はそれぞれ相応して各サブ領域の外壁の部分に設けられる。
【００２１】
前記壁体１当たりは前記取付板に合わせるように前記第一表面に対して斜めに設けられる。
【００２２】
前記壁体１当たりの最高点と端子２の間の垂直な距離はいずれも該壁体１の最高点と前記第一表面における溜水領域の最低点の間の垂直な距離よりも小さい。このようにすると、比較的大きい水流量に耐えることができる。
【００２３】
本考案は、止水壁の壁体を設けることにより溜水を複数の独立する領域に分割し、溜水で各端子が短絡するという問題点を解決できる。
【００２４】
本考案について、上記好ましい実施例により詳しく説明したが、上記説明は本考案を限定するというものではない。本考案に基づく修正と代替の全ては上記内容に接した当業者にとって自明である。したがって、本考案の範囲は付されたクレームにより規定しなければならない。
【図１】
0003220430.tif 000003